(57)【特許請求の範囲】
【請求項１】
下向きに形成された横長状のメダル投入口（１２）と、該メダル投入口（１２）の後側に沿って立設された後部ガイド板（６１）とを備えた遊技機において、前記メダル投入口（１２）の上側を略覆う覆い部材（６３）を、前記後部ガイド板（６１）に対して前向き突出状に一体形成し、遊技機筐体（１）に対して着脱自在に装着された投入口部材（１３）に前記メダル投入口（１２）、前記後部ガイド板（６１）及び前記覆い部材（６３）が設けられ、前記投入口部材（１３）は、第１部材（３１）と、前記後部ガイド板（６１）及び前記覆い部材（６３）が設けられた第２部材（３２）とを前後に組み合わせることにより構成されると共にそれら第１部材（３１）と第２部材（３２）との間に前記メダル投入口（１２）が形成されており、前記第１部材（３１）の後端側から前向きにスリット（４８）が形成され、前記覆い部材（６３）の端部側を前記スリット（４８）に後側から嵌合させたことを特徴とする遊技機。
【請求項２】
前記覆い部材（６３）は、その少なくとも左右一端側に、屈曲部（６３ａ）を介して略下向きに延設された延設部（６３ｂ）を一体に備え、その延設部（６３ｂ）を前記スリット（４８）に嵌合させたことを特徴とする請求項１に記載の遊技機。
【請求項３】
前記第１部材（３１）に、前記メダル投入口（１２）の前側に対応して前後方向の前部ガイド溝（４５）を配置したことを特徴とする請求項１又は２に記載の遊技機。
【発明の詳細な説明】
【技術分野】
【０００１】
本発明は、スロットマシン等、遊技媒体としてメダルを用いる遊技機に関するものである。
【背景技術】
【０００２】
遊技媒体としてメダルを用いるスロットマシン等の遊技機には、メダル投入口に投入されたメダルのうち、不適正メダルを返却通路側に案内し、適正メダルのみを内部のメダル貯留部側に流下させるメダル選別手段が設けられている。
【０００３】
このメダル選別手段は、メダル投入口の下流側に設けられ且つメダル投入口に投入されたメダルをメダル貯留部側に流下させる案内通路と、この案内通路上に設けられ且つ不適正メダルを案内通路上から返却通路側に除去する不適正メダル除去手段と、この不適正メダル除去手段よりも下流側に配置され且つ案内通路を流下するメダルを検出する適正メダル検出手段とを備え、不適正メダル除去手段により除去されることなく案内通路を流下した適正メダルを適正メダル検出手段により検出して、その検出個数に基づいて例えばクレジットを加算するようになっている（例えば特許文献１参照）。
【０００４】
なお、適正メダル検出手段は、メダルの流下方向に沿って１又は複数、例えば２個隣接して配置されたフォトセンサ等により構成されており、例えばそれら２つのフォトセンサの検出タイミングが所定条件を満たす場合にのみ正常な検出と判断することにより、不正行為等による誤検出を排除するようになっている。
【特許文献１】特開２００４−２０６４８５号公報
【発明の開示】
【発明が解決しようとする課題】
【０００５】
上記のようなメダル選別手段を搭載した従来の遊技機では、次のような手口で不正にクレジットを増加させる行為が横行して大きな問題となっている。即ち、この不正行為は、メダル投入口から案内通路に沿って挿入可能な細長薄板状のアーム部の先端に、メダル検出手段の位置に一致するように発光手段等の信号出力部を配置した器具（以下、投入口挿入式不正器具という）を用い、遊技ホールにおいてその器具を密かに遊技機のメダル投入口にセットすると共に信号出力部から所定の信号を出力させてメダル検出手段を誤動作させることにより、メダルを投入することなくクレジットを増加させるものである。
【０００６】
この種の器具を用いた不正行為は、その遊技機に合わせて作られた器具さえあれば誰でも簡単に実行することが可能で、また器具がメダル投入口へ挿入されてしまうと周囲からは分かりにくく、発見が難しいという問題点がある。
【０００７】
本発明は、このような従来の問題点に鑑み、メダル投入口から投入口挿入式不正器具を挿入してメダル検出手段を誤動作させることによる不正行為を防止できる遊技機を提供することを目的とする。
【課題を解決するための手段】
【０００８】
本発明は、下向きに形成された横長状のメダル投入口１２と、該メダル投入口１２の後側に沿って立設された後部ガイド板６１と、前記メダル投入口１２の前側に前後方向に配置された前部ガイド溝４５とを備えた遊技機において、前記メダル投入口１２の上側を略覆う覆い部材６３を、前記後部ガイド板６１に対して前向き突出状に一体形成し、遊技機筐体１に対して着脱自在に装着された投入口部材１３に前記メダル投入口１２、前記後部ガイド板６１及び前記覆い部材６３が設けられ、前記投入口部材１３は、第１部材３１と、前記後部ガイド板６１及び前記覆い部材６３が設けられた第２部材３２とを前後に組み合わせることにより構成されると共にそれら第１部材３１と第２部材３２との間に前記メダル投入口１２が形成されており、前記第１部材３１の後端側から前向きにスリット４８が形成され、前記覆い部材６３の端部側を前記スリット４８に後側から嵌合させたものである。
【発明の効果】
【０００９】
本発明によれば、通常のメダル投入操作に影響を与えることなく、メダル投入口１２への投入口挿入式不正器具の挿入を阻止できるため、メダル投入口１２から投入口挿入式不正器具を挿入してメダル検出手段を誤動作させることによる不正行為を効果的に防止できる。
【発明を実施するための最良の形態】
【００１０】
以下、本発明の実施形態を図面に基づいて詳述する。図１〜図８は、本発明をスロットマシンとして具現化した第１の実施形態を例示している。図１及び図２において、１は遊技機筐体で、前側が開放した矩形箱型の本体ケース２と、この本体ケース２の前側に装着された矩形状の前面パネル３とを備えている。
【００１１】
本体ケース２は、その上下方向略中央部分に内部空間を上下に仕切るように中間支持板４が略水平に配置されており、その中間支持板４上に、図柄表示リール５ａ〜５ｃを左右方向に備えた表示リールユニット６が配置され、中間支持板４よりも下側に、メダル払い出し装置７等が配置されている。
【００１２】
メダル払い出し装置７は、遊技者にメダルを払い出すためのもので、その上部側には、払い出し用のメダルを貯留するメダルホッパー８が設けられている。
【００１３】
前面パネル３は、左右一端側に配置されたヒンジを介して本体ケース２に対して開閉自在に装着されており、その上部側には、本体ケース２内の図柄表示リール５ａ〜５ｃに対応する３つの表示窓９ａ〜９ｃが左右方向に配置された表示パネル部１０が設けられている。
【００１４】
また、表示パネル部１０の下側には、前向き膨出状に形成された操作パネル部１１が横長状に配置されており、その操作パネル部１１の上面側、即ち操作パネル上面板１１ａ上に、遊技媒体としてのメダルを投入可能なメダル投入口１２が下向きに設けられた投入口部材１３、メダル投入口１２の下流側に詰まったメダルを返却させるための返却ボタン１４の他、メダル投入口１２へのメダル投入に代えてクレジットからメダルをベットするための１投入ボタン１５及びマックス投入ボタン１６、獲得したメダルをクレジットするか払い出すかの設定を切り換えるためのクレジット精算ボタン１７等が設けられ、また操作パネル部１１の前面側に、図柄表示リール５ａ〜５ｃの回転を開始させるためのスタートレバー１８、回転中の図柄表示リール５ａ〜５ｃを夫々個別に停止させるためのストップボタン１９ａ〜１９ｃ等が設けられている。
【００１５】
なお、操作パネル上面板１１ａは、例えば前下がりの傾斜状に形成されており、投入口部材１３はその右端側近傍に配置されている。
【００１６】
前面パネル３の下端部前側には、メダル払い出し装置７から払い出されたメダル等を前側に排出するための排出口２２が設けられ、その前側に、排出口２２から排出されたメダルを受けるメダル受け皿２３が横長状に配置されている。
【００１７】
前面パネル３の裏側には、メダル投入口１２の下流側に、メダル投入口１２に投入されたメダルの選別を行うメダル選別手段２４が設けられている。このメダル選別手段２４は、メダル投入口１２に投入されたメダルが適正か否かを判別して、不適正メダルは返却通路２５、排出口２２を介してメダル受け皿２３に返却し、適正メダルのみを計数してメダルホッパー８に収容させるように構成されている。
【００１８】
続いて、投入口部材１３の構成について図３乃至図８を参照しつつ詳述する。投入口部材１３は、例えばステンレス鋼等の金属製で、別体に形成された第１部材３１と第２部材３２とを前後に組み合わせることにより構成され、それら第１部材３１と第２部材３２との間に断面横長状のメダル投入口１２が下向きに形成されており、図７，図８に示すように、その下部側を操作パネル上面板１１ａに形成された装着孔３３に嵌合させた状態で前面パネル３に着脱自在に固定されている。
【００１９】
第１部材３１は、図５，図６等に示すように、操作パネル上面板１１ａの上側に配置される本体部３４と、この本体部３４の下側に一体に形成され且つ装着孔３３内に上側から挿入、固定される支持部３５とを一体に備えている。
【００２０】
本体部３４は、メダル投入口１２の前側に沿って略鉛直に配置された後壁部４１と、この後壁部４１の前側に配置され且つ正面視略Ｕ字型の曲面状に形成された凹壁部４２と、後壁部４１の前側に凹壁部４２の外縁部を取り囲むようにこの凹壁部４２の外縁部と操作パネル上面板１１ａとの間に配置される周壁部４３とで構成されている。
【００２１】
凹壁部４２は、その下端側が操作パネル上面板１１ａに沿って前下がりの傾斜状に形成されており（図７参照）、その上面側が、多数のメダルを前後方向に重ねた状態で前後方向摺動自在に保持可能な前部ガイド溝４５を構成している。この前部ガイド溝４５は、メダルの外径に対応する部分円筒面に形成された摺動案内部４６と、この摺動案内部４６の左右両端側から夫々斜め上向きに延設された略平面状の傾斜誘導部４７とで構成されている。傾斜誘導部４７は、摺動案内部４６の左右に滑らかに接続されており、その上向きの開き角は例えば９０度程度となっている。また、摺動案内部４６には、その円筒面の軸方向、即ち前後方向に沿った細長状の溝４４が、周方向に所定間隔をあけて複数本形成されている。
【００２２】
周壁部４３は、下開きの略球面状に形成されており、その左右の後端部４３ａは、後壁部４１よりも後側に突出している。また、周壁部４３と凹壁部４２との境界部、即ち前部ガイド溝４５の外縁部４５ａは、図４に示すように平面視略Ｕ字状となっており、その左後端側には、後述する覆い部材６３の左端側に対応する前向きのスリット４８が形成されている。
【００２３】
なお、後壁部４１の左右両端側には、第２部材３２側との連結用のネジ孔４９が形成されている。
【００２４】
支持部３５は、本体部３４側の後壁部４１の左右方向略中央部分から下向きに延設された投入口前壁部５１と、この投入口前壁部５１の左右両縁部から本体部３４の前後方向略中央位置まで前向きに延設された側壁部５２と、この側壁部５２の左右両縁部から本体部３４の左右両端部近傍まで左右方向外向きに延設された固定壁部５３とで構成されている。
【００２５】
投入口前壁部５１は、本体部３４側の後壁部４１と共にメダル投入口１２の前壁を構成するもので、少なくともメダルの外径よりも大きな横幅に形成されている。また、後壁部４１の背面側から投入口前壁部５１の背面側にかけて、メダル投入口１２に対応する極浅い投入口前部溝５４が形成されている。投入口前部溝５４は、投入口前壁部５１に対応する下部溝５４ｂが後壁部４１に対応する上部溝５４ａよりも若干深く形成されると共に、その下部溝５４ｂは、深さ及び左右方向幅が共に下部側ほど大きくなるようにテーパー状に形成されている。
【００２６】
固定壁部５３には、当該第１部材３１を前面パネル３側に固定するための固定孔５５が、例えば左右１個ずつ設けられている。
【００２７】
第２部材３２は、図５，図６等に示すように、メダル投入口１２の後側に沿って操作パネル上面板１１ａの上側に立設される後部ガイド板６１と、この後部ガイド板６１の下側に一体に形成され且つ装着孔３３内に上側から挿入される案内通路部６２と、後部ガイド板６１の上縁側に沿って配置される覆い部材６３とを一体に備えている。
【００２８】
後部ガイド板６１は、第１部材３１側の本体部３４の後側に対応し、その上縁側が後壁部４１の左右両端側の上縁に沿う略円弧状を呈する正面視かまぼこ型に形成されている。
【００２９】
案内通路部６２は、第１部材３１側の支持部３５の後側に対応し、後部ガイド板６１の左右方向略中央部分から下向きに延設されている。
【００３０】
後部ガイド板６１の前面側から案内通路部６２の前面側にかけては、後ろ向き凹入状で且つメダルの厚さよりも若干深い略一定深さの後部案内溝６４が形成されている。この後部案内溝６４は、第１部材３１側の前部ガイド溝４５の内面形状に対応して上開きの略扇形状に形成された投入案内溝６５と、メダル投入口１２に対応して投入案内溝６５から下向きに延設された投入口後部溝６６とで構成されている。
【００３１】
投入口後部溝６６は、案内通路部６２に対応する下部溝６６ｂが後部ガイド板６１に対応する上部溝６６ａよりも若干深く形成されている。また、その下部溝６６ｂは、深さ及び左右方向幅が共に下部側ほど大きくなるようにテーパー状に形成されており、更にその後側の内壁には、上下方向細長状の溝６７が、左右方向に所定間隔をあけて複数本形成されている。
【００３２】
なお、第１部材３１側の投入口前部溝５４と第２部材３２側の投入口後部溝６６とでメダル投入口１２が形成される。
【００３３】
覆い部材６３は、メダル投入口１２の上側を略覆うように、後部ガイド板６１の上縁側に沿って前向き突出状に形成されている。覆い部材６３は、後部ガイド板６１の上縁側のうち、例えば投入案内溝６５の上側に対応する範囲に設けられている。即ち、覆い部材６３は、メダル投入口１２の左右両端側近傍を結ぶ正面視略円弧状に形成されている。
【００３４】
また、覆い部材６３は、図４等に示すように、後部ガイド板６１からの前向き突出量が、その右端側から左端側に向けて徐々に大きくなるように平面視略三角形状に形成されている。更に、覆い部材６３の左端側には、屈曲部６３ａを介して所定方向、例えば略下向きに延設された延設部６３ｂが一体に形成されている。
【００３５】
なお、後部ガイド板６１の上縁側で且つ覆い部材６３の外側に対応する位置には、第１部材３１側の周壁部４３の左右の後端部４３ａに対応する切欠部６９が形成されている。更に、後部ガイド板６１上で且つ後部案内溝６４から外れた位置には、第１部材３１側のネジ孔４９に対応する通し孔７０が形成されている。
【００３６】
第１部材３１と第２部材３２とは、第１部材３１側の本体部３４、支持部３５の後側に第２部材３２側の後部ガイド板６１、案内通路部６２が夫々重なるように組み合わされ、ネジ７１を第２部材３２の後側から通し孔７０を介して第１部材３１側のネジ孔４９にねじ込むことにより互いに結合される。
【００３７】
このとき、第２部材３２側の切欠部６９に、第１部材３１側の周壁部４３の後端部４３ａが前側から嵌合し、また第２部材３２側の覆い部材６３の延設部６３ｂが第１部材３１側のスリット４８に後側から嵌合すると共に、第１部材３１側の投入口前部溝５４と第２部材３２側の投入口後部溝６６とで上下方向のメダル投入口１２が形成される。
【００３８】
第１部材３１と第２部材３２とが結合されて一体化された投入口部材１３は、図７等に示すように、その下部側、即ち第１部材３１側の支持部３５、第２部材３２側の案内通路部６２の部分を装着孔３３に上側から嵌合させつつ操作パネル上面板１１ａ上に装着され、固定ネジを固定壁部５３の後側から固定孔５５を介して例えば操作パネル部１１の裏側の取付ボス７３にねじ込むことにより前面パネル３側に固定される。
【００３９】
メダル投入口１２にメダルを投入する際には、図７に示すように、多数のメダルを前後方向に重ねた状態でまとめて前部ガイド溝４５上に乗せ、例えば右手の親指でそれらのメダルを後部ガイド板６１に軽く押しつけるように力を加える。これにより、最後部のメダルが後部ガイド板６１に沿って下側のメダル投入口１２内に順次落下するため、多数のメダルを短時間で連続的に投入することができる。
【００４０】
このとき、メダル投入口１２の上側は覆い部材６３により覆われているものの、覆い部材６３は、図４等に示すように後部ガイド板６１からの前向き突出量がその右端側から左端側に向けて徐々に大きくなるように平面視三角形状に形成されており、メダル投入操作を行う右手側はその突出量が小さくなっているため、例えばメダル投入操作時に右手の親指が覆い部材６３に干渉して操作の妨げになることはない。
【００４１】
このように、覆い部材６３は、通常のメダル投入操作に対しては何ら障害にはならない。しかしながら、投入口挿入式不正器具のような細長薄板状の部材をメダル投入口１２に挿入しようとする場合には、そのメダル投入口１２の挿入方向上流側（即ち上側）を覆う覆い部材６３が障害となってその挿入を阻止できる。
【００４２】
以上説明したように、本実施形態のスロットマシンでは、メダル投入口１２の上側を略覆う覆い部材６３を後部ガイド板６１に対して前向き突出状に一体形成しているため、通常のメダル投入操作に影響を与えることなく、メダル投入口１２から投入口挿入式不正器具を挿入してメダル検出手段を誤動作させることによる不正行為を効果的に防止できる。
【００４３】
しかも、メダル投入口１２は、遊技機筐体１の前部右側に配置されており、覆い部材６３は、後部ガイド板６１からの前向き突出量が、その右端側から左端側に向けて徐々に大きくなるように形成されているため、メダル投入操作時に右手の親指が覆い部材６３に干渉して操作の妨げになることはない。
【００４４】
遊技機筐体１に対して着脱自在に装着された投入口部材１３にメダル投入口１２、後部ガイド板６１、覆い部材６３及び前部ガイド溝４５が設けられ、投入口部材１３は、前部ガイド溝４５が設けられた第１部材３１と、後部ガイド板６１及び覆い部材６３が設けられた第２部材３２とを前後に組み合わせることにより構成されると共にそれら第１部材３１と第２部材３２との間にメダル投入口１２が形成されているため、特殊な形状であるにもかかわらず製造が容易である。
【００４５】
第１部材３１の後端側から前向きにスリット４８が形成され、覆い部材６３の端部側をスリット４８に後側から嵌合させているため、覆い部材６３の外側からメダル投入口１２側へ繋がる隙間がなく、セキュリティ性と見栄えとが共に向上する利点がある。
【００４６】
また、覆い部材６３は、その左端側に屈曲部６３ａを介して略下向きに延設された延設部６３ｂを一体に備え、その延設部６３ｂをスリット４８に嵌合させているため、延設部６３ｂにより覆い部材６３を補強することができる。また、その補強のための延設部６３ｂはスリット４８内に格納されるために見栄えを損なうことはない。
【００４７】
図９は本発明の第２の実施形態を例示し、覆い部材６３に、メダル投入口１２の右端部近傍に対応して後ろ向きの凹入部８１を設けた例を示している。
【００４８】
本実施形態では、覆い部材６３は、後部ガイド板６１からの前向き突出量がその左端側から右端側に向けて略一定に形成されると共に、その右端側近傍に、後ろ向きに凹入する凹入部８１が設けられている。
【００４９】
また、覆い部材６３の右端側には、左端側と同様、屈曲部６３ａを介して所定方向、例えば略下向きに延設された延設部６３ｂが一体に形成されており、左右の延設部６３ｂが、第１部材３１側の前部ガイド溝４５の外縁部４５ａに前向きに形成された左右一対のスリット４８に後側から嵌合している。
【００５０】
このように、前面パネル３の右端側に設けられた投入口部材１３については、覆い部材６３に、メダル投入口１２の右端部近傍に対応して後ろ向きの凹入部８１を設けても、第１の実施形態と同様、メダル投入操作時に右手の親指が覆い部材６３に干渉して操作の妨げになる不具合を防止できる。
【００５１】
図１０及び図１１は本発明の第３の実施形態を例示し、前部ガイド溝４５の後端部に、その前側とは異なる前後方向傾斜角に形成され且つメダルをメダル投入口１２側に案内するメダル案内部９１を設けた例を示している。
【００５２】
図１０の例では、メダル案内部９１は、メダル投入口１２側に向けて後下がりの傾斜状に形成されている。この場合、前部ガイド溝４５におけるメダル案内部９１よりも前側は、図１０に示すように前下がりの傾斜状とすることはもちろん、前後方向略水平としてもよいし、またメダル案内部９１よりも小さな傾斜角であれば後下がりの傾斜状であってもよい。
【００５３】
また、図１１の例では、メダル案内部９１は前後方向に略水平に形成されている。なお、この場合には、前部ガイド溝４５におけるメダル案内部９１よりも前側の部分は前下がりの傾斜状に形成されている。
【００５４】
なお、メダル案内部９１は、その全体が覆い部材６３の下側に収まるように設けることが望ましいが、例えば第１の実施形態のように、覆い部材６３の後部ガイド板６１からの前向き突出量が一定でない場合には、少なくともメダル案内部９１の左右方向中央の前後方向全体が覆い部材６３の下側に収まるようにしてもよい。
【００５５】
以上のようなメダル案内部９１を設けることで、メダルが前部ガイド溝４５の後端側でメダル投入口１２側に案内されるため、メダル投入操作をより容易に行うことができる。
【００５６】
以上、本発明の実施形態について詳述したが、本発明はこれらの実施形態に限定されるものではなく、本発明の趣旨を逸脱しない範囲で種々の変更が可能である。例えば、覆い部材６３は、メダル投入口１２をその上側にメダル１枚分のスペースを空けて略覆うように形成すればよく、その形状は正面視略円弧状に限られるものではない。
【００５７】
覆い部材６３は、必ずしも後部ガイド板６１に一体に設ける必要はなく、例えばその左右両端側がメダル投入口１２の左右両側に固定されるように投入口部材１３に一体形成してもよい。
【００５８】
投入口部材１３は、１つの部材で構成してもよく、また３つ以上の部材を組み合わせるように構成してもよい。
【００５９】
前部ガイド溝４５は、前後方向に略水平に形成してもよいし、後下がりの傾斜状に形成してもよい。また、前部ガイド溝４５は省略してもよい。
【００６０】
実施形態では、投入口部材１３を前面パネル３の右端側に配置した例を示したが、左端側に配置してもよい。この場合、遊技者は左手でメダル投入操作を行うため、第１の実施形態の場合には、覆い部材６３の後部ガイド板６１からの前向き突出量をその左端側から右端側に向けて徐々に大きくなるように形成し、第２の実施形態の場合には、覆い部材６３の凹入部８１をメダル投入口１２の左端部近傍に設ければよい。
【００６１】
なお、実施形態では、本発明をスロットマシンに適用した例を示したが、遊技媒体としてメダルを使用するものであればどのような種類の遊技機においても同様に実施可能であることは言うまでもない。
【図面の簡単な説明】
【００６２】
【図１】本発明の第１の実施形態を示すスロットマシンの正面図である。
【図２】本発明の第１の実施形態を示すスロットマシンの右側面図である。
【図３】本発明の第１の実施形態を示す投入口部材の正面図である。
【図４】本発明の第１の実施形態を示す投入口部材の平面図である。
【図５】本発明の第１の実施形態を示す投入口部材の分解斜視図である。
【図６】本発明の第１の実施形態を示す投入口部材の分解斜視図である。
【図７】本発明の第１の実施形態を示すスロットマシンの投入口部材近傍の側面断面図である。
【図８】本発明の第１の実施形態を示すスロットマシンの投入口部材近傍の斜視図である。
【図９】本発明の第２の実施形態を示す投入口部材の平面図である。
【図１０】本発明の第３の実施形態を示すスロットマシンの投入口部材近傍の側面断面図である。
【図１１】本発明の第３の実施形態を示すスロットマシンの投入口部材近傍の側面断面図である。
【符号の説明】
【００６３】
１    遊技機筐体
１２    メダル投入口
１３    投入口部材
３１    第１部材
３２    第２部材
４５    前部ガイド溝
４８    スリット
６１    後部ガイド板
６３    覆い部材
６３ａ  屈曲部
６３ｂ  延設部
８１    凹入部
９１    メダル案内部
【図１】
0004441474.tif 000002
【図２】
0004441474.tif 000003
【図３】
0004441474.tif 000004
【図４】
0004441474.tif 000005
【図５】
0004441474.tif 000006
【図６】
0004441474.tif 000007
【図７】
0004441474.tif 000008
【図８】
0004441474.tif 000009
【図９】
0004441474.tif 000010
【図１０】
0004441474.tif 000011
【図１１】
0004441474.tif 000012